(57)【要約】【課題】  プリント基板の下側に取付ける下付用コネクタを、極性を変えずにプリント基板の上側に取付ける。【解決手段】  本発明によるコネクタのプリント基板への実装方法は、プリント基板とカード式デバイスとを電気的に接続するためのコネクタをプリント基板に実装する方法であって、前記コネクタは、該コネクタの一方の側でプリント基板の一方の面に取付けるための第一の取付部と、カード式デバイスとの接続用であって、同一平面に一列に配列した電気接触子を前記プリント基板の面に対して垂直方向に少なくとも１段以上有する電気接触部とを具備しており、前記コネクタの他方の側でコネクタをプリント基板の他方の面に取付ける工程と、  前記電気接触子とプリント基板とをフレキシブルケーブルで電気的に接続する工程とを含む。【選択図】図１
2006286233.tif 000002
【特許請求の範囲】
【請求項１】
プリント基板とカード式デバイスとを電気的に接続するためのコネクタをプリント基板に実装する方法であって、
前記コネクタは、
該コネクタの一方の側でプリント基板の一方の面に取付けるための第一の取付け部と、
カード式デバイスとの接続用の電気接触部とを具備しており、
前記コネクタの他方の側でコネクタをプリント基板の他方の面に取付ける工程と、
前記電気接触部とプリント基板とをフレキシブルケーブルで電気的に接続する工程とを含む方法。
【請求項２】
前記電気接触部は、同一平面に配列された電気接触子を前記プリント基板の面に対して垂直方向に複数段有する請求項１に記載の方法。
【請求項３】
前記第一の取付部によって補強部材を支持させる工程を含む請求項１に記載の方法。
【請求項４】
コネクタの他方の側でコネクタをプリント基板の他方の面に取付ける工程において、コネクタの他方の側に設けられた第二の取付部によって取付ける工程を含む請求項１又は２に記載の方法。
【請求項５】
前記フレキシブルケーブルは、少なくとも一端に具備されたコネクタを介して前記電気接触部とプリント基板の電気配線とを電気的に接続する工程を含む請求項１ないし３の何れかに記載の方法。  
【発明の詳細な説明】
【技術分野】
【０００１】
本発明は、ＰＣカードとプリント基板とを電気的に接続するためのカードコネクタに関し、具体的には、該カードコネクタのプリント基板への実装方法に関する。
【背景技術】
【０００２】
一般に、携帯型パーソナルコンピュータは、その携帯性の利便を追求し軽量化を図るため、選択的な拡張デバイスを内蔵しない傾向にある。パーソナルコンピュータに拡張デバイスを接続する場合には、一般的にＳＣＳＩＩ等のＰＣカードと称するカード式デバイスを収容可能なコネクタと電気ケーブルとを用いて接続する。ＰＣカードとパーソナルコンピュータ内のプリント基板との電気接続は、ＰＣカードを挿抜可能であって極小の電気コンタクトピンを多数有するコネクタを介して行われる。当該コネクタに具備されるピンは、通常、ＰＣカードの幅方向に沿って一列に配列され、それが１段以上設けられて配置されている。
【０００３】
当該カードコネクタは、製造上の回路設計や市場のニーズに合わせてプリント基板に対して多様な実装形態を要求される。それは、例えば、プリント基板の表裏面であったり、プリント基板の縁部であったりする。しかし、その多くはプリント基板の面に対して平行にＰＣカードを挿抜する形態であるため、当該コネクタのプリント基板への実装は、プリント基板の何れかの面で取付けられることが好ましいが、当該カードコネクタは、プリント基板の何れの側に取付けられる場合でも、ピンの配置（ピンの極性）を考慮に入れてＰＣカードの誤挿入を防止するために、ＰＣカードは、表裏面の同一性を維持した状態でコネクタに挿入されなければならない点に注意を要する。
【０００４】
また、何れの面に取付けられる場合であっても、当該カードコネクタは、衝撃や外力に対し、ある程度の耐久性を要求されるため、通常はカードコネクタに補強部が組み込まれた構造を有する。
【０００５】
特許文献１では、プリント基板の上側あるいは下側の何れの側にも取付け可能なカードコネクタを開示している。当該カードコネクタは、１対の取付けブラケットを利用し、カードコネクタをプリント基板の何れの側に取付ける場合にも、取付けブラケットを反転させるだけで、ＰＣカードの幅方向及び挿抜方向に沿う各結合部の位置を同位置に保持することができるというものである。  
【特許文献１】特開平１０−２８９７７３号
【発明の開示】
【発明が解決しようとする課題】
【０００６】
しかし、上記カードコネクタのプリント基板への実装は、カードコネクタ以外の部品に設けられた取付け部を利用して行われるものであり、プリント基板への取付け部を有する既存のカードコネクタに適用することはできない。また、カードコネクタのプリント基板への実装後、新たに補強部材を取付ける必要性も生じる。
本発明は、プリント基板の一方の面に取付けられていた既存のカードコネクタをプリント基板の他方の面に取付ける場合に、既存のカードコネクタの取付け部を補強部として利用することによって、部品点数の低減を可能とする効率的なカードコネクタの実装方法を提供することを目的とする。
【課題を解決するための手段】
【０００７】
（１）上述の目的を達成するため、本発明は、プリント基板とカード式デバイスとを電気的に接続するためのコネクタをプリント基板に実装する方法であって、該コネクタは、該コネクタの一方の側でプリント基板の一方の面に取付けるための第一の取付部と、カード式デバイスとの接続用の電気接触部とを具備しており、前記方法は、前記コネクタの他方の側でコネクタをプリント基板の他方の面に取付ける工程と、前記電気接触部とプリント基板とをフレキシブルケーブルで電気的に接続する工程とを含む。
（２）前記電気接触部は、同一平面に配列した電気接触子を前記プリント基板の面に対して垂直方向に複数段有することが好ましい。
（３）また、本発明の方法は、第一の取付部によって補強部材を支持させる工程を含むことが好ましい。
（４）さらに、本発明の方法は、コネクタの他方の側でコネクタをプリント基板の他方の面に取付ける工程において、コネクタの他方の側に設けられた第二の取付部によって取付ける工程を含むことが好ましい。
（５）前記フレキシブルケーブルは、少なくとも一端に具備されたコネクタを介して前記電気接触部とプリント基板の電気配線とを電気的に接続することが好ましい。
【発明の効果】
【０００８】
（１）請求項１に係る発明は、コネクタの一方の側でプリント基板の一方の面に取付けるコネクタを、コネクタの他方の側でプリント基板の他方の面に取付け、コネクタの電気接触部とプリント基板の電気配線とをフレキシブルケーブルで電気的に接続するので、例えば、プリント基板の一方の面に取付けられたコネクタとプリント基板の他方の面の電気配線とを電気的に接続する等、コネクタとプリント基板との取付け及びコネクタ配置に柔軟に対応することが可能となり、さらに、第一の取付部を補強部を取付けるために活用し、外力や衝撃に対して耐久性を確保することができる。
（２）請求項２に係る発明は、本発明によるコネクタが電気接触子の配列面を複数段有していても電気接触子配列面の配列順序を変更せずにコネクタをプリント基板に取り付けることができる。
（３）請求項３に係る発明は、第一の取付部によって補強部材を支持させるので、コネクタ内への異物混入の防止や外力による衝撃からコネクタを保護することができる。
（４）請求項４に係る発明は、コネクタをコネクタの他方の側に設けられた第二の取付部によってプリント基板に取付けるので、第一の取付け部を有効に利用することができる。
（５）請求項５に係る発明は、フレキシブルケーブルの少なくとも一端に具備されたコネクタを介して前記電気接触部とプリント基板の電気配線とを電気的に接続するので、プリント基板とカードコネクタとの電気接続をコネクタの挿抜によって容易に行うことができる。
【発明を実施するための最良の形態】
【０００９】
図１は、コネクタ１をプリント基板９上に取付けた実装図である。コネクタ１は、プリント基板９の電気配線とカード式デバイス１２とを電気的に接続するために用いられ、プリント基板９の一方の面１９上であって、いわゆるプリント基板９に対して下付用のコネクタである。また、当該コネクタ１は、４つの第一の取付け部１４と電気接触部１６とを具備する。第一の取付け部１４は、コネクタ１の一方の側に位置し、プリント基板９の一方の面１９上でネジ等によって取付けられており、電気接触部１６は、カード式デバイス１２との接続用であって、同一平面に配列した電気接触子を前記プリント基板９の一方の面１９に対して垂直方向に１以上の段数有している。カード式デバイス１２は、コネクタ１の一対の対向する平行アーム７に沿って摺動しながら電気接触部１６の一端側の位置まで挿入され、最終的には電気接触部１６の各電気接触子と電気的に接続される。電気接触部１６の他端側は、別基板１８の電気配線に接続されており、該別基板１８の電気配線を介してプリント基板９の面１９の電気配線に接続される。このようにして、カード式デバイス１２とプリント基板９の電気配線との電気的な接続が行われる。
【００１０】
図２は、図１における下付用コネクタ１を、プリント基板の他方の面１９’上であって、いわゆるプリント基板９に対して上付きに配置した実装図である。図２におけるコネクタ１は、従来から行われているように、電気接触部１６に直接的にフレキシブルケーブル配線と接続されている点で図１と相違し、コネクタ１の他方の側に位置する第２の取付け部４にネジ等を使用してプリント基板９の他方の面１９’上で取付けられている。また、プリント基板９の他方の面１９’上には、所定の電気配線を有するコネクタ３が設けられており、コネクタ３は、フレキシブルケーブルの電気接触部１６側と反対端に具備されたコネクタ３’と対応して電気接続される。したがって、コネクタ１もコネクタ３もプリント基板の同一面上で任意の位置に配置することができる。
【００１１】
図３は、図２におけるコネクタ１に補強部材１３を取付けたプリント基板９への実装図を示している。補強部材１３は、例えば、アルミニウムやプラスチック等の外部からの衝撃に耐え得る材質を選択することができ、４つの第一の取付け部１４の頂部で４点支持された状態で取付けられる。これにより、コネクタ１は、携帯型パーソナルコンピュータにおける狭小化した空間内に設けられた、例えば、キーボード等の他のデバイスによる上部からの衝撃を緩和することができる。さらに、補強部材１３の縁部をプリント基板９の他方の面１９’方向に折り返して形成された折り返し部を設け、平行アーム７と第一の取付け部４の頂点との間の空間部を閉塞することもできる。この構造を採用した場合は、コネクタ１内への防塵効果も期待できるため、さらに好ましい。
【００１２】
以上のように、本発明のコネクタ実装方法を採用すると、カード式デバイスの極性を変えずに嵌合接続可能であって、プリント基板の一方の面に取付けていた下付用コネクタを上付用コネクタとしてプリント基板の他方の面上に配置することができる。また、下付用コネクタをそのまま上付用コネクタとして利用することができる。
また、従来のプリント基板に対する下付用コネクタを上付に配置した場合、下付用コネクタの取付け部を補強部材の取付けのためにそのまま活用できるので、部品点数の軽減効果も期待できる。
さらに、下付用コネクタとプリント基板の電気配線との電気接続をフレキシブルケーブルによって行っているので、プリント基板の一方の面に取付けたコネクタと、プリント基板の一方の面の電気配線とを接続することができる。
【００１３】
以上、実施例を挙げて本発明の実施形態を説明したが、本発明は上記の実施例に限定されるものではなく、本発明の要旨の範囲で適宜、付加、変形等なし得るものである。
【図面の簡単な説明】
【００１４】
【図１】下付用コネクタをプリント基板の一方の面へ取付けた実装図。
【図２】下付用コネクタを、極性を変えずにプリント基板の他方の面へ取付けた本発明による実装方法を利用した実装図。
【図３】図２におけるコネクタに補強部材を取付けたプリント基板への実装図。
【符号の説明】
【００１５】
１・・・コネクタ
３・・・基板上コネクタ
３’・・フレキシブルケーブルコネクタ
４・・・第２取付け部
７・・・平行アーム
９・・・プリント基板
１２・・カード式デバイス
１３・・補強部材
１４・・第一取付け部
１６・・電気接触部
１８・・別の配線基板
１９・・プリント基板の一方の面
１９’・・プリント基板の他方の面
【図１】
2006286233.tif 000003
【図２】
2006286233.tif 000004
【図３】
2006286233.tif 000005